(57)【要約】【課題】  縫製作業することなく芯材を伸縮生地に取り付けることができ、その伸縮生地に張りを持たせてフレームに張ることができるようにする。【解決手段】  芯材付き生地は、印刷可能な伸縮生地と、伸縮生地の周縁部に貼り付けられた芯材と、伸縮生地を芯材に固定する止め具を備え、前記芯材は細長材であり、その長手方向に嵌合溝を備え、嵌合溝と反対側に貼り付け面を備え、貼り付け面が前記伸縮生地の周縁部に貼り付けられ、前記止め具は前記伸縮生地を前記芯材の嵌合溝内に押し込んで、当該伸縮生地の周縁部を芯材との間に挟んで伸縮生地を嵌合溝内に固定することができる芯材付き生地とした。パネルは、フレームと、それに取り付ける伸縮生地を備え、フレームは受け溝を備え、伸縮生地は前記芯材付き生地であり、芯材付き生地の周縁部が芯材と共に前記受け溝内に圧入されて、前記周縁部が芯材とフレームの受け溝の内面に挟まれてフレームに固定した。【選択図】    図１
2017026993.tif 000002
【特許請求の範囲】
【請求項１】
印刷可能な伸縮生地と、伸縮生地の周縁部に貼り付けられた芯材と、伸縮生地を芯材に固定する止め具を備え、
前記芯材は細長材であり、その長手方向に嵌合溝を備え、嵌合溝と反対側に貼り付け面を備え、貼り付け面が前記伸縮生地の周縁部に貼り付けられ、
前記止め具は前記伸縮生地を前記芯材の嵌合溝内に押し込んで、当該伸縮生地の周縁部を芯材との間に挟んで伸縮生地を嵌合溝内に固定することができる、
ことを特徴とする芯材付き生地。
【請求項２】
印刷可能な伸縮生地と、伸縮生地の周縁部に貼り付けられた芯材と、伸縮生地を芯材に固定する止め具を備え、
芯材は中空の細長材であり、その長手方向に中空部を備え、芯材の一面が貼り付け面であり、貼り付け面が前記伸縮生地の周縁部に貼り付けられ、止め具は前記伸縮生地の周縁部外側から芯材の一辺を貫通して中空部まで差し込んで、当該周縁部を芯材に固定できるようにした、
ことを特徴とする芯材付き生地。
【請求項３】
印刷可能な伸縮生地と、伸縮生地の周縁部に貼り付けた芯材を備え、
芯材は断面形状菱形で中空の細長材であり、その一片が貼り付け面であり、貼り付け面が前記伸縮生地の周縁部に貼り付けられ、この芯材は、伸縮生地の周縁部と共にフレームの受け溝内に圧入すると、芯材が扁平状に変形して対角方向の長さが長くなり、周縁部が芯材の外周面により前記受け溝の内壁面に押し付けられて受け溝内に固定される、
ことを特徴とする芯材付き生地。
【請求項４】
印刷可能な伸縮生地と、伸縮生地の周縁部に貼り付けられた芯材を備え、
樹脂成型してバネ性を持たせたテンションメンバーを芯材の嵌合溝内に嵌めて、テンションメンバーの押し部を嵌合溝の外側に突出させ、そのテンションメンバーの押し部の外側から芯材の外周に伸縮生地の周縁部を巻き、その周縁部を芯材の貼り付け面に固定した、
ことを特徴とする芯材付き生地。
【請求項５】
請求項１又は請求項２又は請求項４記載の芯材付き生地において、
伸縮生地は芯材と共に引っ張って張りを持たせて芯材の嵌合溝内へ押し込むことにより、サイズを調整可能である、
ことを特徴とする芯材付き生地。
【請求項６】
請求項１又は請求項２又は請求項５記載の芯材付き生地において、
止め具を伸縮生地の周縁部の上から、当該周縁部と共に芯材の嵌合溝内に押し込んで、周縁部を当該止め具と芯材で挟んで嵌合溝内に固定することができる、
ことを特徴とする芯材付き生地。
【請求項７】
請求項１又は請求項２又は請求項５又は請求項６記載の芯材付き生地において、
止め具と、止め具により嵌合溝内に押し込まれた伸縮生地の周縁部を、固定具で固定した、
ことを特徴とする芯材付き生地。
【請求項８】
フレームと、それに取り付ける伸縮生地を備え、
フレームは受け溝を備え、伸縮生地は請求項１から請求項７のいずれか１項に記載の芯材付き生地であり、
芯材付き生地の周縁部が芯材と共に前記受け溝内に圧入されて、前記周縁部が芯材とフレームの受け溝の内面に挟まれてフレームに固定された、
ことを特徴とするパネル。
【請求項９】
請求項８記載のパネルにおいて、
芯材付き生地の周縁部が芯材と共にフレームの受け溝内に圧入され、その圧入により芯材が変形して、前記周縁部が芯材と前記受け溝に挟まれてフレームに固定された、
ことを特徴とするパネル。
【請求項１０】
請求項８又は請求項９記載のパネルにおいて、
樹脂成型してバネ性を持たせたテンションメンバーを芯材の嵌合溝内に嵌めて、テンションメンバーの押し部を前記嵌合溝の外側に突出させ、そのテンションメンバーの押し部の外側から芯材の外周に伸縮生地の周縁部を巻き、その周縁部を芯材及びテンションメンバーと共にフレームの受け溝内に圧入して、テンションメンバーの弾性変形により、周縁部がテンションメンバーの外周面によって受け溝の内壁面に押し付けられて受け溝内に固定された、
ことを特徴とするパネル。
【発明の詳細な説明】
【技術分野】
【０００１】
本発明は、織物、編物等の生地、特に、伸縮性のある生地の周縁部に芯材を取り付けた芯材付き生地と、芯材付き生地をフレームに張ったパネルに関するものである。
【背景技術】
【０００２】
広告用の宣伝文、写真、図形等を印刷したシートをフレームに張った広告用パネル、写真や絵画を印刷したシートをフレームに張った装飾用パネルがある。
【０００３】
近年、織物、編物等の生地であって、伸縮性のある生地（伸縮生地）が開発され、広告分野、装飾分野をはじめとする各種分野で使用されている。広告分野では伸縮生地に広告文や写真等を印刷し、その生地の周縁部に芯材を縫い付け（縫製し）、その芯材付き生地を金属製あるいはアルミ製等のフレームに張ったパネルがある。この場合、芯材として塑性変形可能なものを使用し、それを、縫製に先立って生地の周縁部に接着剤で仮止めして、芯材を位置決めしている。また、芯材付き生地をフレームに張る場合は、生地の周縁部を芯材と共に金属製あるいはフレームの受け溝内に押し込んで、フレームに固定している。
【０００４】
伸縮生地は、伸縮性があるため、引っ張って生地に張りを持たせる（テンションを付与する）ことにより、印刷面の皴や弛みを解消することができるという利点がある。しかし、伸縮生地の周縁部に芯材を縫製する必要があるため、印刷業者にとっては、本業である印刷の他に、芯材の縫製作業を内製化するか外注しなければならないという面倒がある。内製化は新たな設備投資と経費増が見込まれ、外注はコスト増に加えて製作に時間がかかり、納期対応、品質管理といったリスクもある。更には、縫製に先立って芯材を仮止めする面倒もある。また、フレームの受け溝は加工寸法にばらつきがあるため、ばらつきが大きい場合は、芯材が塑性変形するだけでは変形の自由度が少ないため、受け溝内に芯材と周縁部を押し込むことができない場合もある。
【０００５】
フレームにシートを張る方法、フレームにシートを張った看板（パネル）の例として特許文献１〜４がある。これら特許文献のシート張り方法やパネル構造は、伸縮生地に張りを持たせて、伸縮生地をフレームに張るのには不向きである。
【先行技術文献】
【特許文献】
【０００６】
【特許文献１】特開平７−１０１２００号公報
【特許文献２】特開２０１２−２８９１号公報
【特許文献３】特開２０１４−７７８３１号公報
【特許文献４】特開２０１４−２２６８４号公報
【発明の概要】
【発明が解決しようとする課題】
【０００７】
本発明の解決課題は、縫製作業することなく芯材を伸縮生地に取り付けることができ、その伸縮生地に張りを持たせてフレームに張ることができるようにすることにある。
【課題を解決するための手段】
【０００８】
本発明の芯材付き生地は、印刷可能な伸縮生地と、伸縮生地の周縁部に貼り付けた芯材と、伸縮生地を芯材に固定する（止める）止め具を備え、芯材は細長材であり、その長手方向に嵌合溝を備え、嵌合溝と反対側に貼り付け面を備え、貼り付け面が前記伸縮生地の周縁部に貼り付けられ、止め具は前記伸縮生地を前記嵌合溝内に押し込むことにより、当該伸縮生地を芯材との間に挟んで嵌合溝内に固定できるようにしたものである。
【０００９】
本発明の芯材付き生地は、印刷可能な伸縮生地と、伸縮生地の周縁部に貼り付けた芯材と、伸縮生地を芯材に固定する止め具を備え、芯材は中空の細長材であり、その長手方向に中空部を備え、芯材の一面が貼り付け面であり、貼り付け面が前記伸縮生地の周縁部に貼り付けられ、止め具は前記伸縮生地の周縁部外側から芯材の一辺を貫通して中空部まで差し込んで、当該周縁部を芯材に固定できるようにしたものである。
【００１０】
本発明の芯材付き生地は、印刷可能な伸縮生地と、伸縮生地の周縁部に貼り付けた芯材を備え、芯材は断面形状菱形で中空の細長材であり、その一片が貼り付け面であり、貼り付け面が前記伸縮生地の周縁部に貼り付けられ、この芯材は、伸縮生地の周縁部と共にフレームの受け溝内に圧入すると、芯材が扁平状に変形して対角方向の長さが長くなり、周縁部が芯材の外周面により前記受け溝の内壁面に押し付けられて受け溝内に固定されるようにしたものである。
【００１１】
本発明の芯材付き生地は、印刷可能な伸縮生地と、伸縮生地の周縁部に貼り付けられた芯材を備え、樹脂成型してバネ性を持たせたテンションメンバーを芯材の嵌合溝内に嵌めて、テンションメンバーの押し部を嵌合溝の外に突出させ、その押し部の外側から芯材の外周に伸縮生地の周縁部を巻き、その周縁部を芯材の貼り付け面に固定したものであってもよい。
【００１２】
本発明の芯材付き生地は、止め具を伸縮生地の周縁部の上から、当該周縁部と共に芯材の嵌合溝内に押し込んで、周縁部を当該止め具と芯材で挟んで嵌合溝内に固定することもできる。止め具と、止め具により嵌合溝内に押し込まれた伸縮生地の周縁部を、固定具で固定することもできる。
【００１３】
本発明のパネルは、広告用パネル、装飾用パネル（多くは、「ファブリックパネル」と呼ばれている。）等の各種パネルであり、フレームと、それに取り付ける伸縮生地を備え、フレームが受け溝を備え、伸縮生地が前記芯材付き生地であり、芯材付き生地を引っ張ってその周縁部を芯材ごと前記フレームの受け溝内に押し込むことにより、当該伸縮生地を、張りを持たせてフレームに固定したものである。
【００１４】
本発明のパネルは、伸縮生地をフレームに張る場合、樹脂成型してバネ性を持たせたテンションメンバーを芯材の嵌合溝内に嵌めて、テンションメンバーの押し部を前記嵌合溝の外に突出させ、その押し部の外側から芯材の外周に伸縮生地の周縁部を巻き、その周縁部を芯材及びテンションメンバーと共にフレームの受け溝内に圧入して、テンションメンバーの弾性変形により、周縁部がテンションメンバーの押し部により受け溝の内壁面に押し付けられて受け溝内に固定したものであってもよい。
【発明の効果】
【００１５】
本発明の芯材付き伸縮生地は次の効果を奏する。
（１）芯材を伸縮生地の周縁部に接着剤や粘着テープ等で貼り付けるので、縫製作業が不要となり、縫製作業に伴う諸問題が発生しない。
（２）伸縮生地に芯材が固定されているので、芯材を引っ張って伸縮生地を伸ばして、伸縮生地に張りを持たせ易い。
（３）フレームよりも小さめのサイズの伸縮生地を引っ張って伸縮生地に張りを持たせながらフレームに張ることができるので、伸縮生地がフレームよりも小さめであってもサイズ調整ができる。
（４）伸縮生地の周縁部を止め具と共に芯材の嵌合溝内に押し込んで固定できるので、伸縮生地を固定し易く、皴や弛みが生じにくい。
（５）芯材は嵌合溝を備えるか中空状であるため弾性変形可能であり（バネ弾性があり）、フレームの受け溝寸法に多少大きめのばらつきがあっても、生地の周縁部と共に、受け溝内に押し込み可能となる。
【００１６】
本発明のパネルは次の効果を奏する。
（１）伸縮生地の周縁部を芯材と共にフレームの受け溝内へ押し込んで、伸縮生地をフレームに張ってあるため、伸縮生地が弛んだり、皴になったりしにくい。
（２）テンションメンバーを使用した場合は、フレームの受け溝内に圧入した伸縮生地にテンションが付与されるため、伸縮生地に皴が寄ったり、伸縮生地が弛んだりしにくくなる。
【図面の簡単な説明】
【００１７】
【図１】本発明の芯材付き生地の一例を示す斜視図。
【図２】フレームへの図１の芯材付き生地の取り付け説明図。
【図３】本発明の芯材付き生地の一部詳細説明図。
【図４】図３の芯材付き生地を芯材と共に折り曲げた状態の説明図。
【図５】本発明の芯材付き生地の他例を示す部分説明図。
【図６】本発明の芯材付き生地をフレームの受け溝内に固定した状態の説明図。
【図７】（ａ）は本発明の芯材付き生地の他例を示す説明図、（ｂ）は（ａ）の芯材に取り付けるテンションメンバーの一例を示す斜視図、（ｃ）は（ｂ）のテンションメンバーを芯材の嵌合溝にセットした状態の説明図。
【図８】図７（ａ）の芯材付き生地を、フレームの受け溝内に固定した状態の説明図。
【図９】芯材と伸縮生地を固定具で固定する場合の説明図。
【図１０】図９の芯材付き生地をフレームの受け溝内に固定した状態の説明図。
【図１１】芯材付き生地の芯材と伸縮生地をフレームの受け溝内に固定して、フレームの突起で伸縮生地に張りを持たせた場合の説明図。
【図１２】（ａ）は芯材と伸縮生地をピンで固定して、フレームの受け溝内に固定した状態の説明図、（ｂ）は芯材と伸縮生地を弾性押し具で固定して、フレームの受け溝内に固定した状態の説明図、（ｃ）は芯材と伸縮生地を板状バネで固定して、フレームの受け溝内に固定した状態の説明図、（ｄ）は芯材と伸縮生地を板状バネで固定する詳細説明図、（ｅ）は伸縮生地を中空状の菱形の芯材に貼り付けて、フレームの受け溝内に固定した状態の説明図、（ｆ）は（ｅ）の芯材を受け溝に押し込む詳細説明図。
【発明を実施するための形態】
【００１８】
（芯材付き生地の実施形態１）
本発明の芯材付き生地の一例を図面に基づいて説明する。図1に示すものは、伸縮生地１と、伸縮生地１の周縁部１ａに貼り付けられた芯材２と、芯材２に伸縮生地１を固定する止め具３を備えている。
【００１９】
伸縮生地１は伸縮性があり、印刷可能なものであり、広告用として使用されている汎用の生地であり、種々の名称で呼ばれているが、多くはファブリック生地と呼ばれているものである。
【００２０】
芯材２は細長材であり、長手方向に嵌合溝４を備えたＣチャンネル状であり、嵌合溝４と反対側に貼り付け面５を備え、貼り付け面５に両面テープ６が貼られている。芯材２の材質は剛性を持った可撓性弾性体、例えば、ポリカーボネイト樹脂の１．２ｍｍ以下の厚みに押し出した成型材とか他の樹脂で成形するのが適する。芯材２は両面テープ６の剥離紙６ｂ（図１）を剥離して、両面テープ６の接着面６ａを伸縮生地１の四辺の周縁部１ａに貼り付けてある。芯材２は両面テープ６ではなく、接着剤や粘着剤等で固定することもできる。芯材２は伸縮生地１の周縁部１ａに貼り付けることができ、止め具３で伸縮生地１を嵌合溝４に押し込むことができれば、その形状、寸法、材質は、前記以外のものであってもよい。芯材２はＣチャンネル状にすることにより弾性変形可能（バネ弾性のある）ものとなる。
【００２１】
止め具３（図５、図６）は伸縮生地１の周縁部１ａの上から、当該周縁部１ａを芯材２の嵌合溝４内に押し込んで、周縁部１ａを当該止め具３と芯材２とで挟んで嵌合溝４内に固定するものである。伸縮生地１の周縁部１ａに貼り付けた芯材２を引っ張ると、伸縮生地１が伸びて、伸縮生地１に張りを持たせることができ、皴や弛みを伸ばすことができる。引っ張りにより伸縮生地１を伸ばして伸縮生地１のサイズ調整をすることもできる。
【００２２】
（芯材付き生地の実施形態２）
本発明の芯材付き生地は、図７（ａ）〜（ｃ）、図８のように、印刷可能な伸縮生地１と、伸縮生地１の周縁部１ａに貼り付けられた芯材２を備え、樹脂成型してバネ性を持たせたテンションメンバー１５を芯材２の嵌合溝４内に嵌めて、テンションメンバー１５の押し部１５ａを嵌合溝４の外に突出させ、テンションメンバー１５の外側から芯材２の外周に伸縮生地１の周縁部１ａを巻き、その周縁部１ａを芯材２の貼り付け面５に固定したものである。押し部１５ａは外側に円弧状に湾曲突出しており、押し部１５ａの上下に上係止部１５ｂ、下係止部１５ｃが形成されており、それらを芯材２の嵌合溝４内に嵌入できるようにしてある。
【００２３】
（芯材付き生地の実施形態３）
本発明の芯材付き生地は、図９、図１０のように、止め具３と、止め具３により嵌合溝４内に押し込まれた伸縮生地１の周縁部１ａを固定具７、例えば、ステープラの針で固定して、伸縮生地１のずれを止めることもできる。
【００２４】
（芯材付き生地の実施形態４）
本発明の芯材付き生地は、芯材２が図１２（ａ）に示すように中空の細長材であり、芯材２の一面が貼り付け面５であり、貼り付け面５が前記伸縮生地１の周縁部１ａに貼り付けられているものでもよい。この場合は、止め具３としてピン（又はネジ）を使用し、そのピン（又はネジ）を伸縮生地１の周縁部１ａの外側から芯材２の一辺２ａを貫通して中空部２ｂまで差し込んで、当該周縁部１ａを芯材２に固定できるようにしたものとすることができる。芯材２は中空状にすることにより弾性変形可能な（バネ弾性がある）ものとなる。
【００２５】
（芯材付き生地の実施形態５）
本発明では、図１２（ｂ）に示すような塑性変形材で成形された横長棒状材３を使用し、この横長棒状材３を周縁部１ａの外から芯材２の嵌合溝４に圧入して、周縁部１ａを芯材２に固定することもできる。図１２（ｃ）（ｄ）に示すような板状バネ３を使用し、この板状バネ３を周縁部１ａの外から芯材２の嵌合溝４に圧入して、周縁部１ａを芯材２に固定することもできる。
【００２６】
（芯材付き生地の実施形態６）
芯材２は図１２（ｅ）（ｆ）に示すような菱形（変形四辺形）であり、その長片を外部から加圧すると扁平状に変形するようなものであってもよい。この芯材２も貼り付け面５を備える。
【００２７】
（パネルの実施形態）
本発明のパネルは装飾用パネルや広告用パネル等の各種パネルであり、方形のフレーム１０に、芯材付き生地１１を張ったものである。フレーム１０は樹脂製、金属製、木製等の各種材質で形成されており、全周に受け溝１２を備えている。フレーム１０の形状は方形以外の所望形状であってもよい。
【００２８】
フレーム１０のサイズも任意に設計することができる。受け溝１２の形状、深さは芯材２及び伸縮生地１の周縁部１ａを圧入できるように設計する。
【００２９】
（フレームへの生地の張り付け１）
芯材付き生地１１をフレーム１０に張るときは、伸縮生地１に貼り付けてある芯材２（図１）を、図１、図３、図４のように伸縮生地１の内側に９０度回転させて縦向きにしてから、前記フレーム１０の受け溝１２内に押し込む。このとき、伸縮生地１の周縁部１ａを芯材２でフレーム１０に押し込んで受け溝１２内に固定する。四辺の芯材２を受け溝１２内に押し込むことにより伸縮生地１をフレーム１０に張ることができる。芯材２を引っ張って伸縮生地１を伸ばすことにより、伸縮生地１に皴や弛みが発生しないように張り付けることができる。芯材付き生地１１の縦横サイズをフレーム１０の縦横サイズよりも多少小さくしておいて、伸縮生地１を引き伸ばすことにより、芯材付き生地１１よりも大きめの縦横サイズのフレーム１０に張り付ける（伸縮生地をサイズ調整して張り付ける）ことができる。
【００３０】
（フレームへの生地の張り付け２）
図１１に示すように、受け溝１２の内面に突起１３を設けて、受け溝１２内に芯材２と共に圧入した伸縮生地１の周縁部１ａが、当該突起１３により内側に押されて、伸縮生地１に張り（テンション）が付与されるようにすることもできる。図示した突起１３は受け溝１２の内面に一つだけ設けてあるが、突起１３の数、形状は図示した以外であってもよく、例えば、受け溝１２の内面の深さ方向に間隔をあけて二以上の突起を設けるとか、突起を波形にするなどしてもよい。
【００３１】
（フレームへの生地の張り付け３）
図１２（ｅ）（ｆ）のように中空状の菱形の芯材２を伸縮生地１に貼り付けた場合は、その芯材２を伸縮生地１の周縁部１ａと共にフレーム１０の受け溝１２内に圧入すると、芯材２が扁平状に変形して対角方向の長さが長くなり、周縁部１ａが芯材２の外周面により受け溝１２の内壁面に押し付けられて受け溝１２内に固定される。
【００３２】
（フレームへの生地の張り付け４）
伸縮生地１をフレーム１０に張る場合、図７（ｂ）に示す形状に樹脂成型してバネ性を持たせたテンションメンバー１５を図７（ｃ）のように嵌合溝４内に嵌め、その外側に図７（ａ）のように伸縮生地１の周縁部１ａを巻いて、図８のように伸縮生地１の周縁部１ａを芯材２及びテンションメンバー１５と共にフレーム１０の受け溝１２内に圧入すると、テンションメンバー１５が弾性変形して、周縁部１ａがテンションメンバー１５の押し部１５ａによって受け溝１２の内壁面に押し付けられて受け溝１２内に固定される。この場合、伸縮生地１の皴や弛みが伸びる。
【００３３】
（フレームへの生地の張り付け５）
伸縮生地１をフレーム１０に張る場合、図５に示すように、芯材２を張り付けた伸縮生地１の周縁部１ａに、下に向けて細くなる楔形のテンションメンバー１５を取り付けるか添えるかして、伸縮生地１の周縁部１ａを芯材２及びテンションメンバー１５と共にフレーム１０の受け溝１２内に圧入すると、テンションメンバー１５により周縁部１ａが受け溝１２の内壁面に押し付けられて受け溝１２内に固定される。
【００３４】
図２の１６はＬＥＤ、図６の１７はフレーム１０の裏面に取り付けた裏板である。
【産業上の利用可能性】
【００３５】
本発明の芯材付き生地とパネルは、伸縮性が全くないか、ほとんどない生地にも利用することができる。広告用、装飾用以外の分野で利用することもできる。
【符号の説明】
【００３６】
１      伸縮生地
１ａ    （伸縮生地の）周縁部
２      芯材
２ａ    （芯材の）一辺
２ｂ    （芯材の）中空部
３      止め具
４      嵌合溝
５      貼り付け面
６      両面テープ
６ａ    （両面テープの）接着面
６ｂ    （両面テープの）剥離紙
７      固定具
１０    フレーム
１１    芯材付き生地
１２    受け溝
１３    突起
１５    テンションメンバー
１５ａ  （テンションメンバーの）押し部
１５ｂ  （テンションメンバーの）上係止部
１５ｃ  （テンションメンバーの）下係止部
１６    ＬＥＤ
１７    裏板
【図１】
2017026993.tif 000003
【図２】
2017026993.tif 000004
【図３】
2017026993.tif 000005
【図４】
2017026993.tif 000006
【図５】
2017026993.tif 000007
【図６】
2017026993.tif 000008
【図７】
2017026993.tif 000009
【図８】
2017026993.tif 000010
【図９】
2017026993.tif 000011
【図１０】
2017026993.tif 000012
【図１１】
2017026993.tif 000013
【図１２】
2017026993.tif 000014